(57)【要約】【課題】  車椅子における各車輪を個別に確実に洗浄し得る小型で取扱安い洗浄装置を廉価に提供する。【解決手段】  車椅子Ｂに備えられている車輪７１の一個を受け入れて洗浄する洗浄装置Ａであって、この洗浄装置Ａが、駆動ローラ２０と該駆動ローラ２０との間で前記車輪７１を回転可能に支承する回転自在な受けローラ３０とを備えていると共に、前記車輪７１の少なくとも外周面に接するブラシ５０と、該車輪７１の少なくとも外周面７１ａに水Ｗ’を吹き当てる水の吹き出し手段４０とを備えた洗浄装置。【選択図】図１
2005193130.tif 000002
【特許請求の範囲】
【請求項１】
車椅子に備えられている車輪の一個を受け入れて洗浄する洗浄装置であって、この洗浄装置が、
駆動ローラと該駆動ローラとの間で前記車輪を回転可能に支承する回転自在な受けローラとを備えていると共に、前記車輪の少なくとも外周面に接するブラシと、該車輪の少なくとも外周面に水を吹き当てる水の吹き出し手段とを備えていることを特徴とする洗浄装置。
【請求項２】
前記受けローラが、前記駆動ローラとの間で前記車椅子における後輪を回転可能に支承する第１受けローラと、この駆動ローラと該第１受けローラとの間に備えられて前記駆動ローラとの間で前記車椅子における前輪を回転可能に支承する第２受けローラとを有していることを特徴とする請求項１に記載の洗浄装置。
【請求項３】
前記ブラシが前記第１受けローラと前記第２受けローラとの間に備えられていると共に、前記車輪に接したブラシに前記吹き出し手段から吹き出されて前記車輪に吹き当てられた水が伝い落ちるようにしてあることを特徴とする請求項２に記載の洗浄装置。
【請求項４】
前記水の吹き出し手段が水を吹き出す複数のノズルを備えた管と、この管のノズルから吹き出される水を受けると共に当該管に供給される水を蓄える貯水槽と、この貯水槽の水を前記管に供給するポンプとを備えていることを特徴とする請求項１、請求項２または請求項３に記載の洗浄装置。
【発明の詳細な説明】
【技術分野】
【０００１】
この発明は、車椅子における車輪を簡易に且つ確実に洗浄し得る小型の洗浄装置に関し、例えば、屋外から屋内に移動される車椅子による床面等の汚れ出しを効果的に防ぎ、車椅子による屋内外に向けた円滑な移動をなし得るようにした洗浄装置の提供に関する。
【背景技術】
【０００２】
車椅子の使用者が車椅子に乗ったまま屋内外を出入りする必要のある場合が比較的多く、屋外から屋内に車椅子によって乗り入れる場合、屋内における床などが当該車椅子によって汚損されないように床面にシートを敷いたり、乗り入れる車椅子における車輪の汚れを取り除くなどの処置が必要とされていた。
【０００３】
かかる点から、玄関などの車椅子の乗り入れられる出入り口部分に車椅子の車幅よりも幅の大きい車輪洗浄装置を設け、この車輪洗浄装置に当該車椅子における対をなす前輪を同時に受け入れ洗浄したり、対をなす後輪を同時に受け入れ洗浄したり、さらには、当該車椅子における４輪を同時に受け入れ洗浄することが試みられている。
【０００４】
しかしながら、かかる洗浄装置にあっては、装置が大きくなり、当該装置を設置するスペースの限られている一般住宅やマンションなどにおける設置使用に難があった。
【０００５】
また、かかる洗浄装置にあっては、装置の製作コストが高く、使用度数の限られている一般住宅に設置するには経済的な負担が大きかった。
【０００６】
かかる点から、小型で、取扱い易く、設置コストが低廉で、しかも、小さな設置スペースで用い得る洗浄装置の提供が求められていた。
【発明の開示】
【発明が解決しようとする課題】
【０００７】
この発明が解決しようとする主たる問題点は、車椅子の車輪の洗浄に用いられる洗浄装置の設置に際して広いスペースを要請される不具合や、当該装置の設置に伴う大きな経済的な負担をなくす点にある。
【課題を解決するための手段】
【０００８】
前記課題を解決するために、この発明に係る洗浄装置は、車椅子に備えられている車輪の一個を受け入れて洗浄する洗浄装置であって、この洗浄装置が、駆動ローラと該駆動ローラとの間で前記車輪を回転可能に支承する回転自在な受けローラとを備えていると共に、前記車輪の少なくとも外周面に接するブラシと、該車輪の少なくとも外周面に水を吹き当てる水の吹き出し手段とを備えていることを特徴とするものとした。
【０００９】
このように構成される洗浄装置にあっては、洗浄対象とされる車椅子における各車輪を個別に回転させながら洗浄することができる。また、このように車椅子を構成する車輪の一個を受け入れて洗浄することから、洗浄装置を小型且つ軽量のものとして構成でき、しかも、廉価に提供することができる。
【００１０】
また、前記構成に係る洗浄装置にあっては、この洗浄装置を車椅子の車輪の洗浄に用いていない際に、当該洗浄装置を玄関等の出入り口部分から歩行や各種作業等の妨げとならない場所に持ち運んで保管することができる。
【００１１】
また、前記構成に係る洗浄装置にあっては、当該洗浄対象とされている車輪の少なくとも外周面に水が吹き当てられ、しかも、この車輪の少なくとも外周面にブラシが接するようにしてあることから、車輪に付着した泥などの付着物を都合よく取り除くことができる。
【００１２】
また、前記構成に係る洗浄装置にあって、前記受けローラが、前記駆動ローラとの間で前記車椅子における後輪を回転可能に支承する第１受けローラと、この駆動ローラと該第１受けローラとの間に備えられて前記駆動ローラとの間で前記車椅子における前輪を回転可能に支承する第２受けローラとを有していることを特徴とする洗浄装置では、前記特長に併せて、車椅子に備えられている直径を異にする前輪と後輪とを都合よく回転可能に支承し、洗浄対象とされる車輪に対して効果的に洗浄を施すことができる。
【００１３】
また、前記構成に係る洗浄装置にあって、前記ブラシが前記第１受けローラと前記第２受けローラとの間に備えられていると共に、前記車輪に接したブラシに前記吹き出し手段から吹き出されて前記車輪に吹き当てられた水が伝い落ちるようにしてあることを特徴とする洗浄装置では、前記特長に併せて、車輪に接するブラシによって当該車輪から取り除かれると共に当該ブラシに付着された泥などの車輪付着物を該ブラシを伝い落ちる水によって取り除くことができる。
【００１４】
また、前記構成に係る洗浄装置にあって、前記水の吹き出し手段が水を吹き出す複数のノズルを備えた管と、この管のノズルから吹き出される水を受けると共に当該管に供給される水を蓄える貯水槽と、この貯水槽の水を前記管に供給するポンプとを備えていることを特徴とする洗浄装置では、上水道などの水の供給手段からホース等の水の案内手段を用いて当該洗浄装置に水を案内供給する必要がなく、貯水槽にある水を車輪に吹き当てるように用いると共に、これを循環して用いることができ、いずれの場所においても当該洗浄装置を設置して用いることができる。
【発明の効果】
【００１５】
この発明に係る洗浄装置にあっては、洗浄対象とされる車椅子における各車輪を個別に回転させながら洗浄することができる。また、車椅子を構成する車輪の一個を受け入れて洗浄するようにしてあることから、洗浄装置を小型且つ軽量のものとして構成でき、しかも、廉価に提供することができる。また、この洗浄装置を車椅子の車輪の洗浄に用いていない際には、当該洗浄装置を玄関等の出入り口部分から歩行や各種作業等の妨げとならない場所に持ち運んで保管することができる。また、当該洗浄対象とされている車輪の少なくとも外周面に水が吹き当てられ、しかも、この車輪の少なくとも外周面にブラシが接するようにしてあることから、車輪に付着した泥などの付着物を都合よく取り除くことができる。
【発明を実施するための最良の形態】
【００１６】
以下、この発明を実施するための最良の形態に係る洗浄装置Ａについて詳細に説明する。
【００１７】
図１〜図７は、この発明を実施するための最良の形態に係る洗浄装置Ａを示しており、図１では、一例として示される典型的な車椅子Ｂを典型的な当該最良の形態に係る洗浄装置Ａを用いて洗浄している状態を斜め上方から見て示しており、図２では、この車椅子Ｂの状態を理解し易いように使用者の図示を省略した状態で斜め上方から見て示している。図３では、この洗浄装置Ａを斜め上方から見て示し、図４では、駆動ローラ２０及び受けローラ３０の回転軸線に直交する向きで縦断面した状態を、更に、図５では当該洗浄装置Ａの要部を破断すると共に駆動ローラ２０及び受けローラ３０の回転軸線に平行な向きで縦断面した状態を示している。図６及び図７では、この洗浄装置Ａを用いている断面状態を車椅子Ｂの要部と共に示している。
【００１８】
この発明を実施するための最良の形態に係る洗浄装置Ａは、典型的には、車椅子Ｂに備えられている車輪７１の一個を受け入れて洗浄する洗浄装置Ａであって、この洗浄装置Ａが、駆動ローラ２０と該駆動ローラ２０との間で前記車輪７１を回転可能に支承する回転自在な受けローラ３０とを備えていると共に、前記車輪７１の少なくとも外周面に接するブラシ５０と、該車輪７１の少なくとも外周面７１ａに水Ｗ’を吹き当てる水の吹き出し手段４０とを備えた構成としてある。
【００１９】
このように構成される洗浄装置Ａにあっては、洗浄対象とされる車椅子Ｂにおける各車輪７１を個別に洗浄し得ると共に、当該洗浄対象車輪７１を適宜回転させながら洗浄することができる。また、このように車椅子Ｂを構成する車輪７１の一個を受け入れて洗浄することから、洗浄装置Ａを小型且つ軽量のものとして構成でき、しかも、当該洗浄装置Ａを廉価に提供することができる。
【００２０】
また、前記構成に係る洗浄装置Ａにあっては、この洗浄装置Ａを車椅子Ｂの車輪７１の洗浄に用いていない際に、当該洗浄装置Ａを玄関等の出入り口部分から歩行や各種作業等の妨げとならない場所に持ち運んで保管することができる。
【００２１】
また、前記構成に係る洗浄装置Ａにあっては、当該洗浄対象とされている車輪７１の少なくとも外周面７１ａに水Ｗ’が吹き当てられ、しかも、この車輪７１の少なくとも外周面７１ａにブラシ５０が接するようにしてあることから、車輪７１に付着した泥などの付着物を円滑に取り除くことができる。
【００２２】
なお、前記洗浄装置Ａの洗浄対象とされる車椅子Ｂは、例えば、駆動輪を備えた自走用標準型の車椅子や、主輪を備えた介助用標準型の車椅子など、いかなる形態の車椅子であってもよく、また、洗浄対象とされる車輪７１は、車椅子Ｂに備えられているものであれば直径の大きいタイプの車輪であっても、直径の小さいタイプの車輪であっても当該洗浄装置Ａによって洗浄することができる。
【００２３】
また、前記受けローラ３０は、前記駆動ローラ２０との間で車椅子Ｂに備えられている各車輪７１のいずれをも、各個別に支承し得るように備えられているものであればいかなる形態のローラであっても、また、いかなる構成で備えられていてもよく、例えば、当該受けローラ３０を一本のローラで構成し、この一本の受けローラと前記駆動ローラ２０との間で車椅子Ｂに備えられている各車輪７１を各個別に支承するように構成したり、当該受けローラ３０を複数本のローラによって構成し、この複数本の受けローラ３０の中の一本または当該複数本の受けローラ３０の中の２本以上のローラと前記駆動ローラ２０との間で車椅子Ｂにおける各車輪７１を各個別に支承するように構成してあってもよい。
【００２４】
また、前記構成に係る洗浄装置Ａにあって、前記受けローラ３０が、前記駆動ローラ２０との間で前記車椅子Ｂにおける後輪７１Ｂを回転可能に支承する第１受けローラ３１と、この駆動ローラ２０と該第１受けローラ３１との間に備えられて前記駆動ローラ２０との間で前記車椅子Ｂにおける前輪７１Ａを回転可能に支承する第２受けローラ３２とを有している構成とした洗浄装置Ａでは、前記特長と共に、車椅子Ｂに備えられている直径を異にする前輪７１Ａと後輪７１Ｂとを都合よく回転可能に支承し、洗浄対象とされる各車輪７１に対して効果的に洗浄を施すことができる。
【００２５】
また、前記構成に係る洗浄装置Ａにあって、前記ブラシ５０が前記第１受けローラ３１と前記第２受けローラ３２との間に備えられていると共に、前記車輪７１に接したブラシ５０に前記吹き出し手段４０から吹き出されて前記車輪７１に吹き当てられた水Ｗ’が伝い落ちるようにしてある構成とした洗浄装置Ａでは、前記特長と共に、車輪７１に接するブラシ５０によって当該車輪７１から取り除かれて当該ブラシ５０に付着された泥などの車輪付着物が該ブラシ５０を伝い落ちる水Ｗ’によって取り除かれる。
【００２６】
また、前記構成に係る洗浄装置Ａにあって、前記水の吹き出し手段４０が水を吹き出す複数のノズル４３を備える管４２と、この管４２のノズル４３から吹き出される水Ｗ’を受けると共に当該管４２に供給される水Ｗを蓄えた貯水槽１１と、この貯水槽１１の水Ｗを前記管４２に供給するポンプ４１とを備えている構成とした洗浄装置Ａでは、上水道などの水の供給手段からホース等の水の案内手段を用いて当該洗浄装置Ａに水を案内供給する必要がなく、貯水槽１１にある水Ｗを車輪７１に吹き当てるように用い、且つ、これを循環して用いることができ、いずれの場所においても当該洗浄装置Ａを容易に設置して用いることができる。
【００２７】
以下、図１〜図６に示される典型的な洗浄装置Ａ及び典型的な車椅子Ｂの車輪７１を当該洗浄装置Ａを用いて洗浄する一例を具体的に説明する。
【００２８】
この図示例に係る洗浄装置Ａは、典型的には、車椅子Ｂに備えられている車輪７１の一個を受け入れて洗浄する洗浄装置Ａであって、この洗浄装置Ａが、駆動ローラ２０と該駆動ローラ２０との間で前記車輪７１を回転可能に支承する回転自在な受けローラ３０とを備えていると共に、前記車輪７１の少なくとも外周面７１ａに接するブラシ５０と、該車輪７１の少なくとも外周面７１ａに水Ｗ’を吹き当てる水の吹き出し手段４０とを備えた構成としてある。
【００２９】
かかる洗浄装置Ａを用いて洗浄される車椅子Ｂは、例えば、前輪７１Ａをキャスタとし、後輪７１Ｂを主輪とした介助用標準型車椅子や、前輪７１Ａをキャスタとし、後輪７１Ｂを駆動輪とした自走用標準型車椅子など、いかなる形態からなる車椅子Ｂであってもよく、また、車椅子Ｂに備えられている各種大きさの直径の車輪に対して用いることができる。
【００３０】
なお、この図示例にあっては、かかる車椅子Ｂにおける典型例として、自走用標準型車椅子が示されており、フレーム７０、一対のキャスタとして構成された前輪７１Ａ及び一対の駆動輪として構成された後輪７１Ｂからなる車輪７１、シート７２、バックレスト７３、アームレスト７４、レッグサポート７５、グリップ７６、ブレーキ７８などの各部材を備え、ハンドリム７７やテイッピングレバー７９などの各種の必要部材を備えたものとして構成してあり、使用者Ｐが前記シート７２に乗り込んだ状態で、典型的には、介助者Ｈの介助のもとで洗浄処理される。
【００３１】
この図示例にかかる洗浄装置Ａは、前記車椅子Ｂに備えられているいずれか一個の車輪７１を受け入れると共に、この受け入れた車輪７１、より具体的には、当該受け入れ車輪７１における少なくとも外周面７１ａを洗浄し得るようにしたものであって、更に具体的には、この受け入れ車輪７１が前輪７１Ａである場合においては当該前輪７１Ａのタイヤ７１Ａａを、また受け入れ車輪７１が後輪７１Ｂである場合には当該後輪７１Ｂのタイヤ７１Ｂａを洗浄し得るように構成してある。
【００３２】
この図示例にかかる洗浄装置Ａは、前記駆動ローラ２０、受けローラ３０、ブラシ５０、吹き出し手段４０を組み込み得る上面開口の箱状体１０を備えており、この箱状体１０は、四角形状をなす底板１０ｅと、この底板１０ｅにおける四辺形の各辺から起立状態に設けられた互いに向き合う側板１０ａ及び側板１０ｂと、互いに向き合う側板１０ｃ及び側板１０ｄとが互いに連続するように備えられている底の浅い容器状の構成としてあり、この側板１０ａ及び側板１０ｂ間に亙って備えられた仕切り板１０ｆによって、この仕切り板１０ｆと前記側板１０ｄ、側板１０ａ、側板１０ｂ及び底板１０ｅによって貯水槽１１を構成するようにしてある。
【００３３】
かかる箱状体１０は、車椅子Ｂに備えられている車輪７１を各個別に受け入れ、この受け入れた一個の車輪７１に対して都合よくブラシ５０を接触させると共に水Ｗ’を吹き当てながら当該車輪７１を駆動ローラ２０と受けローラ３０との間で支承、回転させ得る形状、大きさのものであれば、いかなる構成としてあってもよく、前記洗浄を前記態様で車椅子Ｂにおける各車輪７１に施し得るものであれば当該箱状体１０は、これを極力小型のものとして構成することが好ましい。また、かかる箱状体１０はステンレススチール、各種の鋼材、鉄材、アルミニューム材など適宜の素材によって構成してあれば良く、前記駆動ローラ２０や受けローラ３０を効果的に支承し、しかも、前記貯水槽１１における水を効果的に貯水し得る構成を備えたものとしてある。
【００３４】
この図示例にあっては、箱状体１０における一つの側板、具体的には、側板１０ｃに沿うように駆動ローラ２０を該箱状体１０内に配置し、この駆動ローラ２０に沿うように仕切り板１０ｆを設けると共に、この仕切り板１０ｆによって前記駆動ローラ２０の備えつけられている箱状体部分と区分された当該箱状体１０に備えられた貯水槽１１内に受けローラ３０を備えた構成としてある。より具体的には、当該貯水槽１１を構成する一つの側板、この図示例にあっては側板１０ｄに沿うように受けローラ３０として用いられる第１受けローラ３１を前記駆動ローラ２０との間で車椅子Ｂの後輪７１Ｂを受け入れ得るように該駆動ローラ２０の回転軸線に回転軸線を平行にして回転自在に備えつけ、しかも、前記駆動ローラ２０との間で車椅子Ｂの前輪７１Ａを受け入れ得るように当該駆動ローラ２０と前記第１受けローラ３１との間に該駆動ローラ２０の回転軸線に回転軸線を平行にした第２受けローラ３２を回転自在に備えつけてあり、この第１受けローラ３１と前記駆動ローラ２０とで車椅子Ｂにおける後輪７１Ｂを回転可能に支承し、しかも、該第２受けローラ３２と前記駆動ローラ２０とで車椅子Ｂにおける前輪７１Ａを回転可能に支承するようにしてある。そして、ブラシ５０が、この第１受けローラ３１と第２受けローラ３２間に設けてあると共に、このブラシ５０に囲まれるようにして前記第１受けローラ３１及び第２受けローラ３２の回転軸線に平行に水の吹き出し手段４０をなす管４２が設けてあり、この管４２から吹き出される水Ｗ’が車椅子Ｂにおける前輪７１Ａ及び後輪７１Ｂとしての車輪７１の外周面７１ａ、典型的には、当該前輪７１Ａを構成するタイヤ７１Ａａ及び当該後輪７１Ｂを構成するタイヤ７１Ｂａに吹き当たるようにしてあると共に、前記ブラシ５０が当該車椅子Ｂにおける前輪７１Ａ及び後輪７１Ｂとしての車輪７１の外周面７１ａ、典型的には、前記タイヤ７１Ａａ、７１Ｂａに接触するように構成してある。
【００３５】
なお、前記箱状体１０における車輪７１の出入りされる位置にある側板、より具体的には駆動ローラ２０及び受けローラ３０の回転軸線に平行に備えられている側板、この図示例にあっては側板１０ｃ、側板１０ｄと前記仕切り板１０ｆは、駆動ローラ２０と受けローラ３０との間で回転可能に支承された車椅子Ｂにおける車輪７１に接触しない構成としてあり、駆動ローラ２０による当該駆動ローラ２０と受けローラ３０間で支承された車輪７１の回転の妨げとならないように構成してある。
【００３６】
かかる洗浄装置Ａを構成する駆動ローラ２０は、この図示例にあっては、側板１０ａと側板１０ｂ間にかけ渡された状態で当該箱状体１０に組み付けてあり、回転ローラ部２１と、この回転ローラ部２１を回転可能に前記箱状体１０に組み付ける軸２２と、この回転ローラ部２１内に組み付けられて当該回転ローラ部２１を軸２２に対して回転駆動するモータ２３とを備えた、いわゆるモータ内蔵タイプの駆動ローラ２０としてあり、前記軸２２における断面円形の軸部２２ａに前記回転ローラ部２１が回転可能に備えられていると共に該軸部２２ａに連続する変形軸部２２ｂが前記箱状体１０における側板１０ａ、１０ｂに組み付け固定されており、この箱状体１０に組み付け固定された一対の軸２２によって当該回転ローラ部２１を内蔵モータ２３により強制的に回転し得るようにしてある。なお、ここで回転ローラ部２１に組み込まれるモータ２３はいかなるモータであってもよく、例えば、正反転モータなどが用いられる。また、この駆動ローラ２０を駆動するモータ２３はいかなる形態で備えられていてもよく、駆動ローラ２０の外部にあって当該駆動ローラ２０の軸２２を強制駆動するように構成してあってもよい。なお、２３ａは当該モータ２３のコードを示しており、スイッチ８１を介してプラグ８２を備えたコード８０に接続してあり、壁Ｃに備えられているコンセント８３に当該プラグ８２を差込接続して当該モータ２３を用いるようにしてある。
【００３７】
なお、ここで箱状体１０に備えつけられる駆動ローラ２０は、その回転ローラ部２１の外周面が箱状体１０における側板１０ｃと底板１０ｅ及び仕切り板１０ｆとにそれぞれ近接するように備えられ、しかも、該回転ローラ部２１の外周面が前記箱状体１０における開口縁間をわたる仮想の面よりもやや下方に位置するように備えられいており、車椅子Ｂにおける各車輪７１を確実かつ容易に受け入れ得る小型の洗浄装置Ａを構成し得るようにしてある。
【００３８】
かかる駆動ローラ２０と共に車椅子Ｂにおける後輪７１Ｂを回転可能に支承する受けローラ３０として箱状体１０に備えられる第１受けローラ３１は、この図示例にあっては、側板１０ａと側板１０ｂ間にかけ渡された状態で当該箱状体１０に組み付けてあり、回転ローラ部３１ａと、この回転ローラ部３１ａを回転可能に前記箱状体１０に組み付ける軸３１ｂとを有し、この軸３１ｂにおける断面円形の軸部３１ｂ’に前記回転ローラ部３１ａが回転可能に備えられていると共に該軸部３１ｂ’に連続する変形軸部３１ｂ”が前記箱状体１０における側板１０ａ、１０ｂに組み付け固定されており、この箱状体１０に組み付け固定された一対の軸３１ｂによって当該回転ローラ部３１ａを回転可能に当該箱状体１０に組み付けてある。
【００３９】
なお、ここで箱状体１０に備えつけられる第１受けローラ３１は、その回転ローラ部３１ａの外周面が箱状体１０における側板１０ｄに近接するように備えられ、しかも、該回転ローラ部３１ａの外周面が前記箱状体１０における開口縁間をわたる仮想の面よりもやや下方に位置するように備えられいており、車椅子Ｂにおける後輪７１Ｂを前記駆動ローラ２０と共に確実に支承し、しかも、この洗浄装置Ａに受け入れられた車椅子Ｂにおける各車輪７１を当該洗浄装置Ａ外に確実に移動させ得る小型の洗浄装置Ａを構成し得るようにしてある。
【００４０】
ついで、前記駆動ローラ２０と第１受けローラ３１との間に備えられて、該駆動ローラ２０と共に車椅子Ｂにおける前輪７１Ａを回転可能に支承する受けローラ３０として当該箱状体１０に備えられる第２受けローラ３２は、この図示例にあっては、側板１０ａと側板１０ｂ間にかけ渡された状態で当該箱状体１０に組み付けてあり、回転ローラ部３２ａと、この回転ローラ部３２ａを回転可能に前記箱状体１０に組み付ける軸３２ｂとを有し、この軸３２ｂにおける断面円形の軸部３２ｂ’に前記回転ローラ部３２ａが回転可能に備えられていると共に該軸部３２ｂ’に連続する変形軸部３２ｂ”が前記箱状体１０における側板１０ａ、１０ｂに組み付け固定されており、この箱状体１０に組み付け固定された一対の軸３２ｂによって当該回転ローラ部３２ａを回転可能に当該箱状体１０に組み付けてある。
【００４１】
なお、ここで箱状体１０に備えつけられる第２受けローラ３２は、前記駆動ローラ２０との間で車椅子Ｂにおける前輪７１Ａを回転可能に支承し得るように備えられていると共に、前記第１受けローラ３１と駆動ローラ２０間における後輪７１Ｂの支承の妨げとならない位置に備えられており、この図示例にあっては、前記第１受けローラ３１の回転ローラ部３１ａと略同一の直径の回転ローラ部３２ａを有すると共に当該第１受けローラ３１の箱状体１０に対する組み付け位置よりも下方の位置において当該箱状体１０に備えられており、直径の大きい後輪７１Ｂを駆動ローラ２０と第１受けローラ３１間で支承する際に当該第２受けローラ３２がその支承の妨げとならないように構成してある。また、この第１受けローラ３１よりも駆動ローラ２０に近い位置に当該第２受けローラ３２を設けることによって後輪７１Ｂよりも直径の小さい前輪７１Ａを前記駆動ローラ２０と共に回転可能に支承し得るようにしてある。
【００４２】
かかる第１受けローラ３１と第２受けローラ３２間に車椅子Ｂの車輪７１の少なくとも外周面７１ａに接するようにブラシ５０が設けてあり、このブラシ５０によって、前記駆動ローラ２０と受けローラ３０間で回転可能に支承された車椅子Ｂにおける車輪７１の少なくとも外周面７１ａの付着物を取り除くようにしてある。
【００４３】
このブラシ５０は、この図示例にあっては、貯水槽１１における水の中から上方に向けて先端を突き出すように設けてあり、更に、具体的には、前記第１受けローラ３１と第２受けローラ３２間に、この第１受けローラ３１と第２受けローラ３２とに平行に長方体状をなす台を設けると共にこの台の長手に亙るようにブラシ５０のブラシ毛を直立状態に植設し、しかも、この長手に亙るように設けたブラシ毛の列を、この台における短手方向に順次に複数列備えた構成のブラシ５０としてある。
【００４４】
かかるブラシ５０は、車輪７１の少なくとも外周面７１ａに接触して、この車輪７１に付着した泥等を取り除き得るものであれば、いかなる素材によって構成してあってもよく、例えば、回転される車輪７１に接しても折れることのない弾性を備えたプラスチック製細線や、弾性を備えた金属製細線などによって構成するなど、付着物の取り去りに有効で、しかも、反復使用に適する素材によって構成する。
【００４５】
また、かかるブラシ５０は、車輪７１の少なくとも外周面７１ａに接触して、この車輪７１に付着した泥等を取り除き得るものであれば、いかなる形態のものであってもよく、例えば、前記第１受けローラ３１と第２受けローラ３２間に備えられて、この第１受けローラ３１又は第２受けローラ３２と前記駆動ローラ２０との間で支承される車椅子Ｂにおける車輪７１の少なくとも外周面７１ａに接して、当該車輪７１に付着した泥等を取り除き得る形態に備えられておれば、例えば、前記の台５１の上面の全面に密生するようにブラシ毛が植設してあっても、また、所定本数に束ねられたブラシ毛を所定間隔を離して植設するなど適宜の態様で当該洗浄装置Ａに備えられておればよい。
【００４６】
また、ここで洗浄装置Ａに備えられるブラシ５０は、前記第１受けローラ３１と前記駆動ローラ２０との間で前記車椅子Ｂにおける後輪７１Ｂを回転可能に支承した際及び前記駆動ローラ２０と前記第２受けローラ３２との間で前記車椅子Ｂにおける前輪７１Ａを回転可能に支承した際に、この回転可能に支承された各車輪７１における少なくとも外周面７１ａに接触して、当該車輪７１に付着した泥等を取り除き得る位置に備えられ、かつ、当該洗浄対象車輪７１の少なくとも外周面７１ａに接触して当該洗浄対象車輪７１に付着した泥等を効果的に取り除き得る長さを備えたものとして構成してあり、この図示例にあっては前記箱状体１０の上面開口面から上方に向けて長く突き出すように設けてある。また、前記ブラシ５０は、前記駆動ローラ２０と第２受けローラ３２との間に前記車椅子Ｂにおける前輪７１Ａを受け入れた際に、この第２受けローラ３２から突き出される前輪７１Ａ部分を起立状態に備えられている当該ブラシ５０内に導き入れ、この起立状態にあるブラシ５０によって、当該導き入れ状態、より具体的には、当該前輪７１Ａにおける回転軸線が駆動ローラ２０及び受けローラ３０の各回転軸線と平行をなす状態で当該前輪７１Ａを当該ブラシ５０内で保持し得るようにしてある。
【００４７】
なお、前記記載のように駆動ローラ２０以外の構成、典型的には受けローラ３０を構成する第１受けローラ３１と第２受けローラ３２及びブラシ５０並びに吹き出し手段４０は、当該箱状体１０における貯水槽１１部分に設けてあり、第２受けローラ３２は、その主要部を当該貯水槽１１の水Ｗ内に漬かるように設けてあると共に、第１受けローラ３１も下部側が当該水Ｗに漬かるように設けてあり、ブラシ５０もその下部側が水Ｗ内に位置するように設けてある。
【００４８】
かかる箱状体１０を備えた洗浄装置Ａにあっては、水の吹き出し手段４０を、当該吹き出し手段４０から吹き出される水Ｗ’が最も効果的に車椅子Ｂに備えられている各車輪７１の少なくとも外周面７１ａに吹き当たり得る位置に備えられており、この図示例にあっては、前記駆動ローラ２０と第１受けローラ３１間に支承される後輪７１Ｂにおける当該駆動ローラ２０と第１受けローラ３１間にある車輪７１部分に吹き当てられ、しかも、前記駆動ローラ２０と第２受けローラ３２との間に支承される前輪７１Ａにおける当該第２受けローラ３２から突き出される車輪７１部分に吹き当てられるように設けてある。
【００４９】
かかる水の吹き出し手段４０は、前記貯水槽１１内に設置されて当該貯水槽１１内の水Ｗを吸入し、これを管４２に圧送するポンプ４１と、当該ポンプ４１によって吸入かつ圧送された水を車輪７１に吹き当てる吹き出しノズル４３を備えた管４２とを備えており、４１ａは、このポンプ４１における水Ｗの吸入口を、４２ａは当該ポンプ４１から処理水Ｗを上方に案内する縦向き管部を、４２ｂは縦向き管部４２ａで案内された処理水Ｗを車輪７１に吹き当てるノズル４３を備えた横向き管部を、４２ｃは、当該横向き管部４２ｂの先端を塞ぐ塞ぎ具を示しており、横向き管部４２ｂの上面に、その長手方向に亙るように複数のノズル４３が所定間隔毎に設けてある。なお、４１ｂは、ポンプ４１における駆動モータのコードを示しており、スイッチ８１を介してプラグ８２を備えたコード８０に接続してあり、当該プラグ８２を壁Ｃに備えられているコンセント８３に差込接続して当該ポンプ４１を用いるようにしてある。
【００５０】
この図示例にあっては、台５１における長手方向に一筋となって延びるように植設されたブラシ５０を複数条、当該台５１の短手方向に亙って所定間隔を離して設けてあり、この筋状に備えられたブラシ列間に、前記吹き出し手段４０における横向き管部４２ｂを備えるようにしてあり、当該横向き管部４２ｂが前記第１受けローラ３１と第２受けローラ３２間に備えられているブラシ５０の中にあって前記第１受けローラ３１及び第２受けローラ３２と平行をなすように設けてある。
【００５１】
すなわち、前記箱状体１０における貯水槽１１の底面に備えられている台５１を側板１０ａの側に偏らせて設け、この台５１と側板１０ｂとの間に構成される空間に前記ポンプ４１を備えつけると共に、このポンプ４１に連設した管４２の横向き管部４２ｂを前記ブラシ列の長手側に沿って備えた構成としてある。また、この横向き管部４２ｂは前記縦向き管部４２ａによって当該貯水槽１１における水Ｗの上面から当該横向き管部４２ｂにおけるノズル４３が上方に突き出し得るように前記ブラシ列間に設けるようにしてあり、ポンプ４１から圧送される水Ｗを車椅子Ｂにおける車輪７１の少なくとも外周面７１ａに効果的に吹きつけ得るようにしてある。
【００５２】
かかる水の吹き出し手段４０は、貯水槽１１の水Ｗをポンプ４１によって吸い上げて、これを前記駆動ローラ２０と受けローラ３０間に支承された車椅子Ｂにおける各車輪７１の少なくとも外周面７１ａに吹き当てると共に、ブラシ５０を伝わって流れ落ちる当該吹き当て水Ｗ’を貯水槽１１に還流して循環用いる構成としてあり、前記車輪７１に接触して当該車輪７１に付着している泥などの取り除きに用いられたブラシ５０に付着している泥などの付着物を効果的に流下させて貯水槽１１にとりこむことができる。また、このようにブラシ５０を常時水Ｗ’によって濡らした状態で、当該ブラシ５０を車輪７１に接触させ得ることから、当該ブラシ５０による車輪７１の付着物の効果的な取り去りをなすことができる。
【００５３】
なお、この図示例にあっては、前記駆動ローラ２０を貯水槽１１外に設け、駆動モータ内蔵の駆動ローラ２０が水に浸かる不具合をなくすと共に、第１受けローラ３１及び第２受けローラ３２を当該貯水槽１１内に設け、しかも、この第１受けローラ３１の回転ローラ部３１ａと第２受けローラ３２の回転ローラ部３２ａとが共に当該貯水槽１１内の水Ｗに接触するようにしてあり、この回転ローラ部３１ａ及び回転ローラ部３２ａの外周面に付着された泥などが洗い落とされるようにしてある。
【００５４】
また、前記ブラシ５０と共に車輪７１の洗浄に用いられる水の吹き出し手段４０は、前記ノズル４３からの吹き出し水Ｗ’が、都合よく車輪７１に吹き当てられ、しかも、この車輪７１に吹き当てられた水Ｗ’などが、前記ブラシ５０を伝わって貯水槽１１に還流され得るように当該貯水槽１１に設けてあり、当該目的を達成し得るように、その吹き出し高さや、吹き出し量や、吹き出し部におけるブラシ５０間の空間量や、ブラシ５０の突き出し長さなどが設定してある。
【００５５】
かかる洗浄装置Ａを用いる場合、車椅子Ｂに使用者Ｐが乗り込んだ状態で、典型的には、洗浄対象の車椅子Ｂの前方、より具体的には、洗浄対象車輪７１の前方に、この車椅子Ｂにおける進行方向に対して駆動ローラ２０及び受けローラ３０における回転軸線が直交するように当該洗浄装置Ａを位置付けると共に、例えば、介助者Ｈまたは使用者Ｐ自身によって当該駆動ローラ２０または受けローラ３０のいずれか任意の側から車椅子Ｂの車輪７１を当該洗浄装置Ａ内に案内する。より具体的には、当該駆動ローラ２０の備えられている側、すなわち、箱状体１０における側板１０ｃの側から当該車椅子Ｂにおける洗浄対象車輪７１を当該洗浄装置Ａ内に案内し、または、受けローラ３０の備えられている側、すなわち、箱状体１０における側板１０ｄの側から当該車椅子Ｂにおける洗浄対象車輪７１を当該洗浄装置Ａ内に案内する。
【００５６】
また、洗浄装置Ａ内にある洗浄対象車輪７１は、例えば、介助者Ｈまたは使用者Ｐ自身によって駆動ローラ２０または受けローラ３０のいずれか任意の側から当該洗浄装置Ａ外に導き出されるようにしてある。より具体的には、当該駆動ローラ２０の備えられている側、すなわち、箱状体１０における側板１０ｃの側から当該車椅子Ｂにおける洗浄対象車輪７１を当該洗浄装置Ａ外に案内し、または、受けローラ３０の備えられている側、すなわち、箱状体１０における側板１０ｄの側から当該車椅子Ｂにおける洗浄対象車輪７１を当該洗浄装置Ａ外に案内する。
【００５７】
かかる車椅子Ｂの当該洗浄装置Ａに対する受け入れ及び受け出しに先立って、前記駆動ローラ２０及び各受けローラ３０の回転軸線に平行な側板の内側に引っかけ部を引っかけるようにして当該側板から駆動ローラ２０及び各受けローラ３０における回転軸線に直交する向きに延びるようにスロープ用のプレート６０を設置準備する。
【００５８】
すなわち、この図示例にあっては、例えば、側板１０ｃを乗り越えて当該洗浄装置Ａに対して車椅子Ｂにおける洗浄対象車輪７１を出し入れ案内するためのプレート６０を、このプレート６０の一端側に備えられた引っかけ部６０ａを当該側板１０ｃの内側面に引っかけると共に他端側を該側板１０ｃの側方の歩行面Ｄに接地するようにして傾斜状に設置し、また、この側板１０ｃの反対の側にある側板１０ｄを乗り越えて当該洗浄装置Ａに対して車椅子Ｂにおける洗浄対象車輪７１を出し入れ案内するためのプレート６０を、このプレート６０の一端側に備えられた引っかけ部６０ａを当該側板１０ｄの内側面に引っかけると共に他端側を該側板１０ｄの側方の歩行面Ｄに接地するようにして傾斜状に設置し、この設置プレート６０を用いて車椅子Ｂにおける各車輪７１を当該洗浄装置Ａ内に導き入れ、かつ、当該洗浄装置Ａから押し出すようにして用いる。なお、このプレート６０は、前記側板１０ｃ及び側板１０ｄのいずれか一方側にのみ設置するようにしてあってもよく、かかる一方側にのみ設置されたプレート６０を利用して洗浄対象車輪７１を洗浄装置Ａ内に案内し、または、当該洗浄装置Ａに対して出し入れするようにしてもよい。
【００５９】
かかる洗浄装置Ａは一個の洗浄装置Ａを用いて、この一個の洗浄装置Ａによって車椅子Ｂにおける各車輪７１を順次に、または、洗浄を必要とされる車輪７１を選択的に洗浄するようにしてもよく、また、複数の洗浄装置Ａを用意し、この設置用意された複数の洗浄装置によって車椅子Ｂにおける複数の車輪７１を同時に洗浄するようにしてもよい。例えば、二個の洗浄装置Ａを並んだ状態に設置し、この二個の洗浄装置Ａを用いて車椅子Ｂにおける一対の前輪７１Ａを同時に洗浄し、また、この二個の洗浄装置Ａを用いて車椅子Ｂにおける一対の後輪７１Ｂを同時に洗浄するように用いることができる。
【００６０】
また、かかる洗浄装置Ａ内に対する洗浄対象車輪７１の導き入れに前後して、駆動ローラ２０のモータ２３の駆動により当該駆動ローラ２０を回転させると共にポンプ４１の駆動モータの駆動によりノズル４３から水を吹き出させ、駆動ローラ２０と受けローラ３０間に支承された洗浄対象車輪７１を回転させ、この洗浄対象車輪７１の少なくとも外周面７１ａに対してブラシ５０と吹き出し水Ｗ’とによる洗浄を施す。
【００６１】
具体的には、洗浄装置Ａ内に案内されて駆動ローラ２０と受けローラ３０をなす第２受けローラ３２との間に支承された車椅子Ｂにおけるキャスターとして装備される前輪７１Ａは、その第２ローラ３２から突き出されている部分が前記ブラシ５０間に押し入れられ、当該洗浄装置Ａ内に案内された状態、すなわち、前輪７１Ａの回転軸線が駆動ローラ２０及び第２受けローラ３２の回転軸線に略平行な状態で当該ブラシ５０によって姿勢が保持されると共に、駆動ローラ２０の駆動により回転され、当該回転によって車輪７１の少なくとも外周面７１ａに対してブラシ５０が順次に接触され、しかも、少なくとも車輪７１の外周面７１ａに水Ｗ’が順次に吹き当てられ、当該吹き当て水Ｗ’とブラシ５０とによって、当該車輪７１、具体的にはタイヤ７１Ａａの略全面が洗浄され当該タイヤ７１Ａａに付着している泥などが取り除かれる。
【００６２】
また、洗浄装置Ａ内に案内されて駆動ローラ２０と受けローラ３０をなす第１受けローラ３１との間に支承された車椅子Ｂにおける駆動輪として装備される後輪７１Ｂは、当該後輪７１Ｂの回転軸線が駆動ローラ２０及び第１受けローラ３１の回転軸線に平行な状態で当該駆動ローラ２０及び第１受けローラ３１間に支承されると共に当該駆動ローラ２０の駆動により回転され、当該回転によって車輪７１の少なくとも外周面７１ａに対してブラシ５０が順次に接触され、しかも、少なくとも車輪７１の外周面７１ａに水Ｗ’が順次に吹き当てられ、当該吹き当て水Ｗ’とブラシ５０とによって、当該車輪７１、具体的にはタイヤ７１Ｂａの略全面が洗浄され当該タイヤ７１Ｂａに付着している泥などが取り除かれる。
【００６３】
かかる車輪７１に対する洗浄処理は、車椅子Ｂに備えられている車輪７１の中の汚れた車輪７１のみに各別に施されてもよく、また、車椅子Ｂに備えられている各車輪７１の全部に対して施されてもよい。
【００６４】
かかる洗浄対象車輪７１に対する洗浄処理は、前記洗浄装置Ａに対して車椅子Ｂを移動しながら洗浄対象車輪７１を順次に入れ込み洗浄するようにしても、また、洗浄対象車輪７１の前方に当該洗浄装置Ａを順次に移動設置して当該洗浄対象車輪７１を入れ込み洗浄するようにしてもよい。
【００６５】
また、かかる車輪７１の洗浄処理において、洗浄対象車輪７１を車椅子Ｂを前進させる向きに駆動ローラ２０で回転させながら施してもよく、また、洗浄対象車輪７１を車椅子Ｂを後退させる向きに駆動ローラ２０で回転させながら施してもよい。
【００６６】
かかる洗浄装置Ａからの各車輪７１の前方に向けた押し出しに際して、例えば、当該車輪７１が前輪７１Ａをなすキャスターである場合、介助者Ｈによるテイッピングレバー７９の下方に向けた押し込みにより当該前輪７１Ａを浮かせた状態で当該車輪７１を当該箱状体１０から前方に向けて移動することができる。また、例えば、当該車輪７１が後輪７１Ｂをなす駆動輪である場合、介助者Ｈによるグリップ７６の押動により当該車輪７１を当該箱状体１０から前方に向けて移動することができる。
【００６７】
かかる洗浄装置Ａの典型例を、駆動ローラ２０を正反転モーター２３内蔵のものとし、この正反転駆動される駆動ローラ２０の回転とポンプ４１の駆動動作とを関連づけるように設けた洗浄装置Ａについて具体的に説明する。
【００６８】
ここで構成される駆動ローラ２０とポンプ４１は、スイッチ８１によって当該駆動ローラ２０のモータ２３を正反転駆動し、かつ、このモータ２３の駆動時にポンプ４１が作動するように設けてある。そして、この駆動ローラ２０を、例えば、当該洗浄装置Ａ内に導き入れられる車椅子Ｂにおける車輪７１が当該導き入れの向きに回転されるように回転させて用いることができる。また、この駆動ローラ２０を、当該洗浄装置Ａから導き出される車椅子Ｂにおける車輪７１が当該導き出しの向きに回転されるように回転させて用いることができる。また、当該駆動ローラ２０は、受けローラ３０との間で当該車輪７１を通例の車椅子Ｂにおける前進方向に回転させて支承するように用いることができる。また、この、駆動ローラ２０の回転と同時にポンプ４１が動作を開始し、当該洗浄装置Ａ内に受け入れられ、かつ、駆動ローラ２０と受けローラ３０との間で空転されている車輪７１の少なくとも外周面７１ａに対して水Ｗ’を吹き当て、この回転状態で支承されている車輪７１の少なくとも外周面７１ａに接触されているブラシ５０と共に当該車輪７１に付着している泥等が取り除かれる。
【００６９】
このように構成される洗浄装置Ａにあっては、これを玄関等の建物の出入り口部分に設置用意することによって屋外から使用者Ｐが乗った状態で移動される車椅子Ｂによる床面等の汚れ出しを容易に回避することができ、屋内外に向けた使用者Ｐの車椅子Ｂによる容易な移動を可能とすることができる。また、洗浄対象とされる車椅子Ｂにおける各車輪７１を個別に回転させながら洗浄することができる。また、車椅子Ｂを構成する車輪７１の一個を受け入れて洗浄するようにしてあることから、洗浄装置Ａを小型且つ軽量のものとして構成でき、出入り口等の狭い場所にも設置用いることができると共に廉価に提供することができる。また、２個以上の洗浄装置Ａを用意し、この各洗浄装置Ａにそれぞれ洗浄対象車輪７１を受け入れて同時に洗浄することができる。また、この洗浄装置Ａを車椅子Ｂの車輪７１の洗浄に用いていない際には、当該洗浄装置Ａを玄関等の出入り口部分から歩行や各種作業等の妨げとならない場所に持ち運んで保管することができる。また、当該洗浄対象とされている車輪７１の少なくとも外周面７１ａに水Ｗ’が吹き当てられ、しかも、この車輪７１の少なくとも外周面７１ａにブラシ５０が接するようにしてあることから、車輪７１に付着した泥などの付着物を円滑に取り除くことができると共にブラシ５０に付着した泥等が、このブラシ５０を伝い落ちる水Ｗ’によって洗い落とされる利点を有している。
【図面の簡単な説明】
【００７０】
【図１】典型的な車椅子を典型的な洗浄装置を用いて洗浄している状態を示す斜視図
【図２】同使用者を図示しない状態で示した斜視図
【図３】典型的な洗浄装置の斜視図
【図４】同洗浄装置を駆動ローラ等の回転軸線に直交する向きで断面した縦断面図
【図５】同洗浄装置を管に平行な向きで断面した縦断面図
【図６】同洗浄装置を用いて前輪を洗浄している状態を前輪の要部と共に示した縦断面図
【図７】同洗浄装置を用いて後輪を洗浄している状態を後輪の要部と共に示した縦断面図
【符号の説明】
【００７１】
Ａ  洗浄装置
Ｂ  車椅子
Ｗ  水
１１  貯水槽
２０  駆動ローラ
３０  受けローラ
３１  第１受けローラ
３２  第２受けローラ
４０  吹き出し手段
４２  管
４３  ノズル
５０  ブラシ
７１  車輪
７１ａ  外周面
７１Ａ  前輪
７１Ｂ  後輪
【図１】
2005193130.tif 000003
【図２】
2005193130.tif 000004
【図３】
2005193130.tif 000005
【図４】
2005193130.tif 000006
【図５】
2005193130.tif 000007
【図６】
2005193130.tif 000008
【図７】
2005193130.tif 000009